(57)【要約】【課題】一台の管制機器に接続される複数台のエレベータの管制運転点検をエレベータ一台毎に容易に確実に行え、点検終了後の終了操作忘れにより管制運転を無効な状態のままとなるのを確実に防ぐこと。【解決手段】メンテナンスツール５からの管制運転点検許可指令又は管制運転点検不許可指令Ｐ３を入力する点検指令入力部６と、管制機器１から発せられる管制機器動作信号Ｐ１を入力する管制機器入力部８と、管制機器入力部８からの管制機器動作信号Ｐ１と、点検指令記憶手段７からの管制運転点検許可信号又は管制運転点検不許可信号Ｐ４とを基に、管制運転の動作可否を判定する管制運転動作判定手段９と、管制運転動作判定手段９から管制運転の動作可として送信される管制運転開始信号Ｐ５と、メンテナンスツール５から送信される管制運転動作許可信号Ｐ６とにより管制運転を行う管制運転手段１１と、を備える構成。【選択図】図２
2009190822.tif 000002
【特許請求の範囲】
【請求項１】
一台の管制機器からの管制機器動作信号によって複数台のエレベータに対して管制運転を行うエレベータの管制運転システムにおけるエレベータの管制運転点検装置において、
エレベータの保守点検時に使用するメンテナンスツールから出力される管制運転点検許可指令又は管制運転点検不許可指令を入力する点検指令入力部と、
前記点検指令入力部に入力された点検指令を記憶する点検指令記憶手段と、
前記管制機器の動作によって、又は前記管制機器に取り付けられた試験用釦の操作によって前記管制機器から発せられる管制機器動作信号を入力する管制機器入力部と、
前記管制機器入力部からの管制機器動作信号と、前記点検指令記憶手段からの管制運転点検許可信号又は管制運転点検不許可信号とを基に、管制運転の動作可否を判定する管制運転動作判定手段と、
前記管制運転動作判定手段にて判定した結果が入力され前記メンテナンスツールに出力する管制運転動作判定出力部と、
前記管制運転動作判定手段から管制運転の動作可として送信される管制運転開始信号と、前記メンテナンスツールから送信される管制運転動作許可信号とにより管制運転を行う管制運転手段と、を備える
ことを特徴とするエレベータの管制運転点検装置。
【請求項２】
請求項１記載の管制運転点検装置において、
前記点検指令入力部には、管制運転の点検を行う特定のエレベータに対して管制運転点検許可指令が入力されるとともに、管制運転の点検を行わない他のエレベータに対して管制運転点検不許可指令が入力され、
前記管制運転動作判定手段は、前記点検指令記憶手段に記憶された管制運転点検許可信号と前記管制機器入力部からの管制機器動作信号とに基づいて、前記特定のエレベータに対して管制運転の動作可を判定し、前記点検指令記憶手段に記憶された管制運転点検不許可信号と前記管制機器入力部からの管制機器動作信号とに基づいて、前記他のエレベータに対して管制運転の動作否を判定する
ことを特徴とするエレベータの管制運転点検装置。
【請求項３】
請求項１記載の管制運転点検装置において、
前記点検指令入力部には、管制運転の点検を行う特定のエレベータに対して管制運転点検許可指令が入力されるとともに、管制運転の点検を行わない他のエレベータに対して管制運転点検不許可指令が入力され、
前記点検指令記憶手段からの管制運転点検不許可信号には有効時限を保持させ、一定時間経過後に前記管制運転点検不許可信号を無効とし、管制運転点検状態を終了させる
ことを特徴とするエレベータの管制運転点検装置。
【請求項４】
請求項１記載の管制運転点検装置において、
前記管制運転動作判定出力部は、前記メンテナンスツールに対して、管制運転の動作可とされた判定結果を基に管制運転を動作させるエレベータを確認させるような出力を送信する
ことを特徴とするエレベータの管制運転点検装置。
【請求項５】
請求項１記載の管制運転点検装置を備えた複数台のエレベータはそれぞれが通信信号を送受信する通信装置を有し、前記通信装置を通して群管理エレベータを構成し、
前記メンテナンスツールは、前記管制運転点検許可指令を特定の一台のエレベータの前記点検指令入力部に送信し、
管制運転の点検を行わない他のエレベータには前記通信装置を介して前記管制運転点検不許可指令を各々の前記点検指令入力部に送信する
ことを特徴とするエレベータの管制運転システム。
【発明の詳細な説明】
【技術分野】
【０００１】
本発明は、エレベータの管制運転点検装置に関するものである。
【背景技術】
【０００２】
一般にエレベータでは、一台の地震感知器などの管制機器に複数台のエレベータが接続されている場合、管制機器の点検を目的に、管制機器を動作させたり、管制機器に取付けてある試験用の釦を操作すると、管制機器に接続されている全てのエレベータが同時に管制運転動作を行ってしまい、通常運転するエレベータがなくなってしまう。よって、管制運転の点検を行っている間はエレベータが利用できず、エレベータの利用者に迷惑をかけるという課題があった。
【０００３】
そこで、エレベータの利用者に迷惑をかけないために、利用者がいない休日または深夜の時間帯にエレベータの管制運転の動作点検を実施すると、休日または深夜の時間帯における作業であるため、保守費用が高くなるという課題があった。
【０００４】
そこで、取外し可能な管制機器の動作を模擬し点検する管制運転模擬点検装置を用いて、管制運転の点検を行いたい特定のエレベータに、この管制運転模擬点検装置を接続し、点検用の管制運転回路に変更し、管制機器の動作を模擬して、管制運転の動作を点検する管制運転の点検装置が提案されている（例えば、特許文献１参照）。
【０００５】
また、通常状態と管制運転点検状態とを切替える切替装置の操作によって、通常状態から管制運転試験状態に切替えて管制機器を動作させ、管制機器より出力される管制機器動作信号を、別途設けた出力手段に出力させることで管制機器の動作を確認し、メンテナンスツールにて管制機器の動作を模擬した管制機器動作模擬信号を別途入力することで管制運転の動作を確認する管制運転動作試験システムが提案されている（例えば、特許文献２参照）。
【特許文献１】特開２００１−２６１２５０公報（段落番号０００６〜０００８）
【特許文献２】特開２００７−２２６７９公報（段落番号０００６〜０００９）
【発明の開示】
【発明が解決しようとする課題】
【０００６】
上記特許文献１と２に記載したような従来の技術では、一台の地震感知器などの管制機器に複数台のエレベータが接続されている場合でも、比較的容易に一台のエレベータ毎に管制運転の点検を行うことが可能となり、エレベータ全台を不稼動状態にすることがないので、エレベータの利用者にかける迷惑を低減することができると云える。
【０００７】
しかしながら、上記特許文献１などに記載されたエレベータの管制運転点検装置では、管制運転の点検を行うために、別途管制運転模擬点検装置を接続し管制運転点検用の回路に変更を行わなければならないため、点検の準備作業にある程度の時間を費やしてしまうという課題や、点検用の回路への変更時に、変更作業を間違うことにより、予期せぬエレベータが管制運転動作を行い、利用者が普通に利用していたエレベータが突然通常運転できなくなり利用者に迷惑をかけてしまうという虞がある。さらに、管制運転の点検は、実際の管制機器からの管制機器動作信号ではなく、模擬点検装置で模擬した信号で行うため、点検の正確性に欠けるという課題もある。
【０００８】
また、上記特許文献２などに記載された管制運転動作試験システムにおいても、管制運転の動作を点検する際、メンテナンスツールで模擬した信号で動作試験を行うため試験の正確性に欠ける。さらに、通常状態と管制運転試験状態とを切替える切替装置の操作にて試験状態に切替えて管制運転の試験を行うが、試験終了後、この切替装置で試験状態から通常状態へ切替える操作を忘れてしまい、管制機器が正規に接続されておらず、実際に地震などが発生し、管制機器が動作した場合に管制運転がおこなわれず、エレベータの利用者に迷惑をかけてしまう虞がある。
【０００９】
本発明の目的は、一台の管制機器に接続される複数台のエレベータの管制運転点検をエレベータ一台毎に容易に行え、点検の準備作業に時間を要せず点検負担を低減させ、管制運転の正確な点検を行え、管制運転点検後に管制機器をエレベータに正常接続でき得るエレベータの管制運転点検装置を提供することにある。
【課題を解決するための手段】
【００１０】
前記課題を解決するために、本発明は主として次のような構成を採用する。  
一台の管制機器からの管制機器動作信号によって複数台のエレベータに対して管制運転を行うエレベータの管制運転システムにおけるエレベータの管制運転点検装置において、エレベータの保守点検時に使用するメンテナンスツールから出力される管制運転点検許可指令又は管制運転点検不許可指令を入力する点検指令入力部と、前記点検指令入力部に入力された点検指令を記憶する点検指令記憶手段と、前記管制機器の動作によって、又は前記管制機器に取り付けられた試験用釦の操作によって前記管制機器から発せられる管制機器動作信号を入力する管制機器入力部と、前記管制機器入力部からの管制機器動作信号と、前記点検指令記憶手段からの管制運転点検許可信号又は管制運転点検不許可信号とを基に、管制運転の動作可否を判定する管制運転動作判定手段と、前記管制運転動作判定手段にて判定した結果が入力され前記メンテナンスツールに出力する管制運転動作判定出力部と、前記管制運転動作判定手段から管制運転の動作可として送信される管制運転開始信号と、前記メンテナンスツールから送信される管制運転動作許可信号とにより管制運転を行う管制運転手段と、を備える構成とする。
【００１１】
また、前記エレベータの管制運転点検装置において、前記点検指令入力部には、管制運転の点検を行う特定のエレベータに対して管制運転点検許可指令が入力されるとともに、管制運転の点検を行わない他のエレベータに対して管制運転点検不許可指令が入力され、前記管制運転動作判定手段は、前記点検指令記憶手段に記憶された管制運転点検許可信号と前記管制機器入力部からの管制機器動作信号とに基づいて、前記特定のエレベータに対して管制運転の動作可を判定し、前記点検指令記憶手段に記憶された管制運転点検不許可信号と前記管制機器入力部からの管制機器動作信号とに基づいて、前記他のエレベータに対して管制運転の動作否を判定する構成とする。
【００１２】
また、エレベータの管制運転点検装置において、前記点検指令入力部には、管制運転の点検を行う特定のエレベータに対して管制運転点検許可指令が入力されるとともに、管制運転の点検を行わない他のエレベータに対して管制運転点検不許可指令が入力され、前記点検指令記憶手段からの管制運転点検不許可信号には有効時限を保持させ、一定時間経過後に前記管制運転点検不許可信号を無効とし、管制運転点検状態を終了させる構成とする。
【００１３】
また、前記管制運転点検装置を備えた複数台のエレベータはそれぞれが通信信号を送受信する通信装置を有し、前記通信装置を通して群管理エレベータを構成し、前記メンテナンスツールは、前記管制運転点検許可指令を特定の一台のエレベータの前記点検指令入力部に送信し、管制運転の点検を行わない他のエレベータには前記通信装置を介して前記管制運転点検不許可指令を各々の前記点検指令入力部に送信するエレベータの管制運転システム。
【発明の効果】
【００１４】
本発明によれば、一台の管制機器に接続されている複数台のエレベータの管制運転の点検を行う場合、容易に一台毎に点検を行うことができるので、全てのエレベータを不稼動状態とすることはなく、エレベータの利用者がいない休日または深夜の時間帯に管制運転の点検をする必要がなくなり保守費用を低く抑えることができる。また、管制運転の点検のための回路変更は不要となるため、点検の準備作業に時間を費やすことがなくなり、保守員の負担を減らすことができる。
【００１５】
また、管制運転の点検は別途管制機器の動作を模擬した模擬信号ではなく、実際の管制機器からの動作信号で行うので（実際の管制機器を強制的に振動させたり、試験用釦の操作により動作信号を発生させたりする）、従来に比べてより正確な点検が可能となる。さらに、管制運転の点検のために回路変更や、管制運転点検時に通常状態から管制運転点検状態に切替える切替装置を不要とし、管制運転動作判定手段にて判定した結果をメンテナンスツールに出力させるようにしたため、予期せぬ事由でエレベータが不稼動となり、利用者に迷惑をかけるということを防ぐことができる。
【００１６】
また、管制運転点検不許可信号には有効時限をもたせることで、点検終了操作をし損なった場合でも、特定の時間が経過すれば、エレベータの管制機器が正常に接続された状態となるので、地震などで実際に管制機器が動作した場合に管制運転ができず、利用者に迷惑をかけるということを防ぐことができる。
【発明を実施するための最良の形態】
【００１７】
本発明の実施形態に係るエレベータの管制運転点検装置について、図１と図２を参照しながら以下詳細に説明する。図１は本発明の実施形態に係るエレベータの管制運転点検装置についてエレベータと管制機器との関連を示す全体構成図である。図２は本発明の実施形態に係るエレベータの管制運転点検装置の内部構成を示すブロック図である。
【００１８】
図１において、エレベータの管制運転システムは、地震感知器を一例とする一台の管制機器１に複数台のエレベータ２ａ，２ｂ，２ｃが接続されており、管制機器１の動作時、管制機器動作信号Ｐｌがそれぞれのエレベータ２ａ，２ｂ，２ｃに送信され、それぞれのエレベータが管制運転を行うようになっている（例えば、地震発生時に地震感知器が所定値以上の震度を検知したときに、地震感知器である管制機器がエレベータに所定の動作を行わせるべく動作信号を送信し、この動作信号でエレベータは管制運転を実行する）。また、群管理エレベータなどでは、それぞれのエレベータに取付けてある通信装置４ａ，４ｂ，４ｃ間で通信信号Ｐ２の送受信をすることで、エレベータ２ａ，２ｂ，２ｃ間の通信が可能となっている
図２において、１はエレベータの管制機器（例えば、地震感知器）であり、３ａは、管制機器からの管制機器動作信号Ｐｌや、エレベータの保守点検時に使用するメンテナンスツール５からの点検指令Ｐ３によって管制運転の点検動作を行うエレベータの管制運転点検装置である。
【００１９】
管制運転点検装置３ａは、メンテナンスツール５からの管制運転点検許可指令または管制運転点検不許可指令Ｐ３が入力される点検指令入力部６と、点検指令入力部６からの指令を記憶する点検指令記憶手段７と、管制機器１からの管制機器動作信号Ｐｌが入力される管制機器入力部８と、管制機器入力部８から送信される管制機器動作信号Ｐｌ、点検指令記憶手段７から送信される管制運転点検許可信号または管制運転点検不許可信号Ｐ４から、管制運転動作を行うか行わないかを判定する管制運転動作判定手段９と、管制運転動作判定手段９での判定結果をメンテナンスツール５に出力させるための管制運転動作判定出力部１０と、管制運転動作判定手段９で判定され、管制運転動作を行う場合に出力される管制運転動作信号５によって管制運転の動作を行う管制運転手段１１と、から構成されている。
【００２０】
次に、本実施形態に係るエレベータの管制運転の動作手順について図２を用いて説明する。まず、メンテナンスツール５を操作し、管制運転の点検を行うエレベータの管制運転点検装置３ａには管制運転点検許可指令Ｐ３を、管制運転の点検を行わないエレベータの管制運転点検装置３ｂ，３ｃには不図示の経路で管制運転点検不許可指令Ｐ３を与える。ここで、群管理エレベータなど各エレベータ間で通信を行っているエレベータにおいては、メンテナンスツール５からの管制運転点検許可指令Ｐ３を、特定の一台のエレベータ２ａの点検指令入力部６に与えることで、エレベータ通信装置４が各々のエレベータの通信装置４ａ，４ｂ，４ｃ間が通信信号Ｐ２の送受信を行い、管制運転の点検を行いたいエレベータの管制運転点検装置３ａには管制運転点検許可指令Ｐ３を、管制運転の点検を行いたくないエレベータの管制運転装置３ｂ，３ｃには通信信号Ｐ２を通して管制運転点検不許可指令Ｐ３を各々の点検指令入力部６に与えることができる。なお、図１に示すように、エレベータ２にはエレベータ管制運転点検装置３とエレベータ通信装置４が設けられ、これらの装置間では信号授受が行われるように構成されている。
【００２１】
管制運転の点検を行うエレベータの管制運転点検装置３ａ内の点検指令入力部６に入力された管制運転点検許可指令Ｐ３は、点検指令記憶手段７に入力される。また、管制運転の点検を行わないエレベータの管制運転点検装置３ｂ，３ｃ内の点検指令入力部６に入力された管制運転点検不許可指令Ｐ３も同様にそれぞれの管制運転点検装置内の点検指令記憶手段７に入力される。それぞれの点検指令記憶手段７に入力された管制運転点検許可指令および管制運転点検不許可指令Ｐ３において、管制運転点検許可指令Ｐ３が入力されている点検指令記憶手段７は管制運転点検許可信号Ｐ４として管制運転動作判定手段９に信号を送信する。また、管制運転点検不許可指令Ｐ３が入力されている点検指令記憶手段７では、管制運転点検不許可指令Ｐ３に有効時限を設け、管制運転点検不許可信号Ｐ４として管制運転動作判定手段９に信号を送信することで、管制運転点検の準備が完了する。
【００２２】
次に、管制機器１を動作（地震発生による管制機器の実際の動作の他に、管制運転の点検を目的とした管制機器の動作を含む）、または管制機器１に設けてある試験用釦を操作することで、管制機器１からは管制機器動作信号Ｐｌが出力され、それぞれのエレベータの管制運転点検装置３ａ，３ｂ，３ｃ内の管制機器入力部８に入力され、その後それぞれの管制運転動作判定手段９に入力される。
【００２３】
ここでまず、管制運転の点検を行うエレベータでは、点検指令記憶手段７から送信された管制運転点検許可信号Ｐ４と、管制機器入力部８から送信された管制機器動作信号Ｐｌとから管制運転動作判定手段９にて管制運転の動作可否の判定を行い、管制運転の動作を行うと判定し、その結果を管制運転動作判定出力部１０に送信すると共に、管制運転手段１１に管制運転開始信号Ｐ５を送信する。管制運転動作判定出力部１０は、判定結果をメンテナンスツール５に送り、本エレベータが管制運転をする旨の表示をさせる。
【００２４】
よって、保守員は管制運転の動作前に、管制運転をさせたいエレベータを確認することができるので、間違って予期せぬエレベータを管制運転させるような操作間違いを防ぐことができる。保守員が、メンテナンスツール５で管制運転をさせるエレベータを確認し、間違いないことを確認したら、メンテナンスツール５から管制運転動作許可信号Ｐ６を管制運転手段１１に送り、管制運転手段１１では、管制運転動作判定手段９からの管制運転開始信号Ｐ５と、メンテナンスツール５からの管制運転動作許可信号Ｐ６とを以って管制運転の動作を行う。
【００２５】
次に、管制運転の点検を行わないエレベータの動作について説明する。点検指令記憶手段７から送信された有効時限付の管制運転点検不許可信号Ｐ４が管制運転動作判定手段９に入力されると、管制運転動作判定手段９は、管制機器入力部８から送信される管制機器動作信号Ｐｌに関係なく、管制運転の動作を行わないと判定し、その結果を管制運転動作判定出力部１０に送信すると共に、管制運転手段１１には管制運転開始信号Ｐ５を送信しない。よって、管制運転の動作が行われない。
【００２６】
また、管制運転動作判定出力部１０は、前記判定結果をメンテナンスツール５に送り、本エレベータが管制運転をしない旨の表示をするので、保守員は確認をすることが可能となる。ここで、点検指令記憶手段７から管制運転動作判定手段９に送信される管制運転点検不許可信号Ｐ４には信号の有効時限をもたせているため、管制運転点検終了後などにおいて、メンテナンスツール５からの管制運転の点検終了の操作をし損なった場合でも、ある一定の時間が経過すると、管制運転点検不許可信号Ｐ４は無効となり、正規に管制機器１に接続された状態となり、万一、地震などが起きた場合でも、確実に管制機器１の動作によって、管制運転が行われる。
【００２７】
以上説明したように、本発明の実施形態は、次のような課題を解決するための具体的構成を備えていることを特徴の１つとするものである。すなわち、一台の地震感知器などの管制機器からの動作指令信号で、複数台のエレベータが管制運転を行う機態を備えたエレベータの管制運転システムの点検において、一台ずつ容易に確実に管制運転の点検を行うことを可能とするとともに、点検終了後の終了操作忘れにより、管制運転を無効な状態のままとなるのを確実に防ぐことを課題としており、具体的構成としては、点検時に使用するメンテナンスツール５からの管制運転点検許可指令または管制運転点検不許可指令を入力する点検指令入力部６と、点検指令入力部６に入力された点検指令を記憶する点検指令記憶手段７と、管制機器１を動作させたり、管制機器１に取付けてある試験用釦を操作することによって管制機器１から発せられる管制機器動作信号Ｐｌを入力する管制機器入力部８と、管制機器入力部８からの管制機器動作信号Ｐｌと点検指令記憶手段７からの管制運転点検許可信号または管制運転点検不許可信号Ｐ４を基に、管制運転動作を行うか行わないかを判定する管制運転動作判定手段９と、管制運転動作判定手段にて判定した結果をメンテナンスツール５に出力する管制運転動作判定出力部１０と、管制運転動作判定手段から送信される管制運転開始信号Ｐ５と、メンテナンスツール５から送信される管制運転動作許可信号Ｐ６より管制運転を行う管制運転手段１１を備えた構成である。
【図面の簡単な説明】
【００２８】
【図１】本発明の実施形態に係るエレベータの管制運転点検装置についてエレベータと管制機器との関連を示す全体構成図である。
【図２】本発明の実施形態に係るエレベータの管制運転点検装置の内部構成を示すブロック図である。
【符号の説明】
【００２９】
１  管制機器
２ａ，２ｂ，２ｃ  エレベータ
３ａ，３ｂ，３ｃ  エレベータ管制運転点検装置
４ａ，４ｂ，４ｃ  エレベータ通信装置
５  メンテナンスツール
６  点検指令入力部
７  点検指令記憶手段
８  管制機器入力部
９  管制運転動作判定手段
１０  管制運転動作判定出力部
１１  管制運転手段
Ｐｌ  管制機器動作信号
Ｐ２  通信信号
Ｐ３  管制運転点検許可指令または管制運転点検不許可指令
Ｐ４  管制運転点検許可信号または時限付管制運転点検不許可信号
Ｐ５  管制運転開始信号
Ｐ６  管制運転動作許可信号
【図１】
2009190822.tif 000003
【図２】
2009190822.tif 000004